【誤訳訂正書】
【提出日】平成28年5月16日(2016.5.16)
【誤訳訂正１】
【訂正対象書類名】明細書
【訂正対象項目名】０００５
【訂正方法】変更
【訂正の内容】
【０００５】
本発明の1つの側面は、フランジ付きの熱伝導ホルダを電球構造として主体を支持し、LED電球のライトエンジン核心部材を構成し、熱伝導ホルダに固定されたインナースナップリングをLED電球のライトエンジン核心部材の補助支持とし、かつインナースナップリングはさらにレンズスナップリングの実装ベースとしても機能する。前記LED電球ライトエンジン核心部材は熱伝導ホルダ、ライトエンジンモジュール、インナースナップリングと配光光学レンズからなり、そのうち、ライトエンジンモジュールの外に内カバーが設けられており、熱伝導ホルダに電気コネクタが設けられ、前記ライトエンジンモジュールは、ライトエンジンテンプレート、LEDチップセット、関連する回線がダイボンディングによりパッケージされてなり、或いはその中に供電駆動チップがさらに集成され、ライトエンジンテンプレートは規格化された熱伝導基板であることを特徴とする汎用型LED電球の構成方法。
【誤訳訂正２】
【訂正対象書類名】明細書
【訂正対象項目名】００１４
【訂正方法】変更
【訂正の内容】
【００１４】
フランジの付きの熱伝導ホルダを備え、熱伝導ホルダ上に少なくともライトエンジンモジュール、インナースナップリングと配向光学レンズを順次設け、レンズスナップリングは配向光学レンズをきつく押さえ、レンズの意外な脱落を防止するために、レンズスナップリング固定ねじによってレンズスナップリングをインナースナップリングの外径上に固定する。前記ライトエンジンモジュールは、ライトエンジンテンプレートと、LEDチップと、関連する回線とでダイボンディングによりパッケージされてなり、或いはその中に供電駆動チップがさらに集成されることを特徴とする、上記方法によって構成されたフランジインナースナップリング式のLED電球。
【誤訳訂正３】
【訂正対象書類名】明細書
【訂正対象項目名】００５９
【訂正方法】変更
【訂正の内容】
【００５９】
（実施例1）
汎用型LED電球の構成方法として、フランジ付きの熱伝導ホルダを電球構造の支持本体とし、LED電球のライトエンジン核心部材を構成し、熱伝導ホルダに固定されたインナースナップリングをLED電球のライトエンジン核心部材の補助支持とする。また、インナースナップリングはさらにレンズスナップリングの実装ベースとしても機能する。前記LED電球ライトエンジン核心部材は熱伝導ホルダ、ライトエンジンモジュール、インナースナップリングと配光光学レンズからなり、そのうち、ライトエンジンモジュールの外ににカバーが設けられており、熱伝導ホルダに電気コネクタが設けられ、前記ライトエンジンモジュールは、ライトエンジンテンプレート、LEDチップセットと関連する回線はダイボンディングによってパッケージされてなり、或いはその中に供電駆動チップがさらに集成されている。前記熱伝導ホルダの直径は電球外径Dであり、電球外径Dは構成されたLED電球のパワー上限WとW=1.1812e0.0361Dの関係となり、W=1.1812e0.0361Dの関係曲線上では、Dは離散的な数値をとり複数の固定電球外径DサイズのLED電球を構成することで、LED電球の交換性と汎用性を向上させる。前記電球外径Dは、W=1.1812e0.0361Dの関係曲線上で、Dは20mmを下限とし、130mmを上限とし、10mm毎に1段階として、12段階に分けて有限量の電球外径規格を構成して、少量の電球外径規格でLED電球の互換性と汎用性をさらに向上させる。前記レンズスナップリングの実装フランジにおけるフランジ固定孔はD1に均等分布し、直径D1は電球外径Dからねじを固定するためのナットの直径を減算して、0.8〜4mmのマージン値をさらに減算して得たものである。前記LED電球の灯具上におけるヒートシンク界面開孔の直径D2は、電球外径Dからねじを固定するためのナットの直径の2倍の値を減算し、D1の2倍のマージン値をさらに減算して得たものである。前記熱伝導ホルダとライトエンジンモジュールとが張り合わせられて一体になり、インナースナップリングはライトエンジンモジュールを囲み、またはインナースナップリングと内カバーとの間に内側リングカバーをさらに設ける。インナースナップリングの上部が熱伝導ホルダに接続され、下部が配向光学レンズと張り合わせられて、ライトエンジンモジュールを熱伝導ホルダとインナースナップリングと配向光学レンズとの間の密封された防水空間内に密封させて、インナースナップリングはLED電球ヒートシンクの実装ベースとしても機能する。レンズスナップリングは配向光学レンズをきつく押さえ、インナースナップリングの外径上に固定されている。或いは前記熱伝導ホルダとライトエンジンテンプレートは同一の非金属熱伝導材料を用いて一体に構成される。前記ライトエンジンテンプレートは、PCBプリント回路板によって回路が得られる金属材料の熱伝導基板である。或いは非金属材料の熱伝導基板であり、その上に銀ペーストプリント回路技術によって回路を嵌合させる。
【誤訳訂正４】
【訂正対象書類名】明細書
【訂正対象項目名】００６２
【訂正方法】変更
【訂正の内容】
【００６２】
図6と図7に示すように、上記方法によって構成されたフランジインナースナップリング式のLED電球は、フランジ付きの熱伝導ホルダ3を備え、熱伝導ホルダ3に電気コネクタ雄ヘッド11を設け、熱伝導ホルダの下に少なくともライトエンジンモジュール4、インナースナップリング81と配向光学レンズ7を順次設け、レンズスナップリング8は配向光学レンズ7をきつく押さえ、ライトエンジンモジュール4の外にレンズ7の意外な脱落を防止するための内カバー6が設けられ、レンズスナップリング固定ねじ14によってレンズスナップリング8をインナースナップリング81の外径に固定する。前記ライトエンジンモジュール4は、ライトエンジンテンプレートと、LEDチップと、関連する回線とでダイボンディングによりパッケージされてなり、或いはその中に供電駆動チップがさらに集成される。熱伝導ホルダの下にライトエンジンモジュール4（例えば、図10）が設けられ、熱伝導ホルダ3上にインナースナップリング81を設け、インナースナップリング81（例えば、図9）はライトエンジンモジュール4の外を囲み、或いはインナースナップリング81と内カバー6との間に内側リングカバー62を設け、インナースナップリング81の上部は熱伝導ホルダに接続し、下部は配向光学レンズ7に張り合わせられ、かつ三者でライトエンジンモジュール4を密封するための密封防水区間が形成されており、インナースナップリング81はさらにLED電球のヒートシンクの実装ベースとしても機能する。レンズスナップリング8は配向光学レンズ7をきつく押さえ、レンズ7の意外の脱落を防止するために、レンズスナップリング8をインナースナップリング81の外径に固定するためのスナップリング固定ねじ14が設けられている。ヒートシンクを実装しない場合、インナースナップリング81上の段差を除去してもよく、その構造は図30に示すとおりであり、実装方式は図31に示すとおりである。或いは前記熱伝導ホルダ3とライトエンジンテンプレートは同一の非金属熱伝導材料を用いて一体に構成される。前記ライトエンジンモジュールはPCBプリント回路板によって回路が得られる金属材料の熱伝導基板であるか、或いは非金属材料の熱伝導基板であり、その上に銀ペーストプリント回路技術によって回路を嵌合させる。
【誤訳訂正５】
【訂正対象書類名】明細書
【訂正対象項目名】００６５
【訂正方法】変更
【訂正の内容】
【００６５】
図11に示すように、前記ライトエンジンモジュール4上のLEDチップの外にに密閉用の透明シリカゲルが設けられ、且つ透明シリカゲルを備える全てのライトエンジンモジュール4の外に内カバー6が設けられ、内カバー6に蛍光粉塗布層が設けられている。図13に示すように、或いは前記ライトエンジンモジュール4上のLEDチップがシリカゲルで密封されず、前記ライトエンジンモジュール4の外に透明な絶縁熱伝導液が注入された凹形状の内カバー61が設けられ、LEDチップを透明な絶縁熱伝導液に浸し、透明な絶縁熱伝導液中に蛍光粉が塗布され、前記凹形状の内カバーの断面は図11に示すような薄型内凹構造の弾性内カバーである。前記ライトエンジンモジュール4はライトエンジンテンプレートと、LEDチップと、関連する回路組とでダイボンディングによりパッケージされてなり、或いはライトエンジンテンプレートに供電駆動チップがさらに集成されている。
【誤訳訂正６】
【訂正対象書類名】特許請求の範囲
【訂正対象項目名】全文
【訂正方法】変更
【訂正の内容】
【特許請求の範囲】
【請求項１】
フランジ付きの熱伝導ホルダを電球構造の支持本体とし、LED電球のライトエンジン核心部材を構成し、熱伝導ホルダに固定されたインナースナップリングをLED電球のライトエンジン核心部材の補助支持部材としており、また、インナースナップリングはさらにレンズスナップリングの実装ベースとしても機能して、前記LED電球ライトエンジン核心部材は熱伝導ホルダ、ライトエンジンモジュール、インナースナップリングと配光光学レンズからなり、そのうち、ライトエンジンモジュールの外に内カバーが設けられており、熱伝導ホルダに電気コネクタが設けられ、前記ライトエンジンモジュールは、ライトエンジンテンプレート、LEDチップセット、関連する回線がダイボンディングによりパッケージされてなり、前記ライトエンジンモジュールの中に供電駆動チップがさらに集成されており、
前記熱伝導ホルダの直径は電球外径Dであり、電球外径Dは構成されたLED電球のパワー上限WとW=1.1812e0.0361Dの関係となり、W=1.1812e0.0361Dの関係曲線上では、Dは離散的な数値をとり複数の固定電球外径DサイズのLED電球を構成することで、LED電球の互換性と汎用性を向上させ、前記電球外径Dは、W=1.1812e0.0361Dの関係曲線上で、Dは20mmを下限とし、130mmを上限とし、10mm毎に1段階として、12段階に分けて有限量の電球外径規格を構成して、少量の電球外径規格でLED電球の互換性と汎用性をさらに向上させ、前記熱伝導ホルダの実装フランジにおけるフランジ固定孔は直径D1上に均等分布し、直径D1は、電球外径Dからねじを固定するためのナットの直径を減算して、0.8〜4mmのマージン値をさらに減算して得られ、前記LED電球の灯具上におけるヒートシンク界面開孔の直径D2は、電球外径Dからねじを固定するためのナットの直径の2倍の値を減算し、前記0.8〜4mmのマージン値の2倍をさらに減算して得られ、前記LED電球の実装界面は、灯具上のLED電球と接触する面および接続するための孔を含むことを特徴とする汎用型LED電球の構成方法。
【請求項２】
前記熱伝導ホルダ上にヒートシンクが設けられ、ヒートシンクと熱伝導ホルダとの間に伝熱パッドが設けられ、前記ヒートシンクは非金属ヒートシンクのアセンブリであり、非金属ヒートシンクのアセンブリは、非金属ヒートシンクと熱伝導変換ホルダを備え、非金属ヒートシンクと熱伝導変換ホルダは極細の非金属熱伝導材料を用い、低温プレス成形した後に焼結を行って得られるものであり、両者の接触面に伝熱結合剤を塗布して結合させて一体にし、固定ねじ接続のため、非金属ヒートシンクの固定ねじ孔にゴムリングまたはねじ固定用固定剤を充填し、非金属ヒートシンクの外にはヒートシンクの外カバーを設け、熱伝導変換ホルダは架空式であって、非金属ヒートシンクは篩い孔状の構造であり、空気が熱伝導変換ホルダから非金属ヒートシンクの篩い孔に流入するよう、熱伝導変換ホルダによって非金属ヒートシンクを架空し、或いは前記ヒートシンクは金属ヒートシンクであり、前記金属ヒートシンクは中空構造を用い、中空構造部分に発泡金属が充填され、中空構造に超伝導液が注入され、中空構造は上下の閉塞部材によって締め嵌めにて押し込まれる、或いはねじゆるみ止め接着剤締め込みによって密封空間を形成して、さらに、密封空間を真空処理し、ヒートシンク固定用ねじがインナースナップリング上の固定貫通孔を貫通して非金属ヒートシンクまたは金属ヒートシンクのヒートシンク固定用ねじ孔に接続することを特徴とする請求項1に記載の汎用型LED電球の構成方法。
【請求項３】
前記熱伝導ホルダ上にコネクタ雄ヘッド固定孔が設けられ、針付きの電気コネクタ雄ヘッドをコネクタ雄ヘッド固定孔に挿入して、電球の奥へ挿入した部分を固定端として固定し、針の終端と汎用型LED電球内のライトエンジンテンプレートとを溶接し、汎用型LED電球の外表面に簡易的な電気的インターフェイスを形成し、実装時には、電気コネクタ雄ヘッドとケーブル付きの電気コネクタ雌ヘッドとを突き合わせてから、汎用型LED電球を固定するだけで汎用型LED電球の電気的接続が実現され、LED電球内のライトエンジンテンプレートがLEDチップと駆動電源チップの需要および位置合わせの需要を満たすよう、前記電気コネクタ雄ヘッドの熱伝導ホルダ上の孔の偏心位置と電気コネクタ雄ヘッド固定端のサイズを限定し、前記針付きの電気コネクタは四針構造であり、そのうち、二針は電源を投入し、二針は制御を導入し、前記固定端は、ナット固定方式または溶接リング固定方式であり、固定端がナット固定方式である場合電気コネクタ雄ヘッドと熱伝導ホルダとの間に防水ゴムリングをさらに設け、回転防止のため、電気コネクタ雄ヘッドに滑り止め溝を設け、前記熱伝導ホルダの貫通孔に相応の突起を設け、前記電気コネクタ雌ヘッドに3孔フランジを設けて、固定用ねじで灯具のヒートシンクに固定することで、電気コネクタ雌ヘッドとヒートシンクとの間に調整用ゴムパッドを設けて厚さを調整して、防水面の水漏れを防ぎ或いは電気コネクタ雄ヘッドに雄ねじを設け、防水ゴムリングが設けられた電気コネクタ雌ヘッドの固定ナットの雌ヘッドねじに合わせて固定して防水し、電気コネクタ雌ヘッドに嵌合溝を設け、嵌合溝内に防水ゴムリングを設けて防水することを特徴とする請求項1に記載の汎用型LED電球の構成方法。
【請求項４】
フランジ付きの熱伝導ホルダ（3）を備え、熱伝導ホルダ（3）に電気コネクタ雄ヘッド（11）を設け、熱伝導ホルダ下に少なくともライトエンジンモジュール（4）、インナースナップリング（81）と配向光学レンズ（7）が順に設けられ、配向光学レンズ（7）にレンズスナップリング（8）がきつく押さえられており、ライトエンジンモジュール（4）の外に内カバー（6）が設けられ、レンズ（7）の意外な脱落を防止するために、レンズスナップリング固定用ねじ（14）によってインナースナップリング（81）の外径上にレンズスナップリング（8）が固定されており、前記ライトエンジンモジュール（4）は、ライトエンジンテンプレートと、LEDチップと、関連する回線とでダイボンディングによりパッケージされてなり、前記ライトエンジンモジュールの中に供電駆動チップがさらに集成されており、
前記熱伝導ホルダの直径は電球外径Dであり、電球外径Dは構成されたLED電球のパワー上限WとW=1.1812e0.0361Dの関係となり、W=1.1812e0.0361Dの関係曲線上では、Dは離散的な数値をとり複数の固定電球外径DサイズのLED電球を構成することで、LED電球の互換性と汎用性を向上させ、前記電球外径Dは、W=1.1812e0.0361Dの関係曲線上で、Dは20mmを下限とし、130mmを上限とし、10mm毎に1段階として、12段階に分けて有限量の電球外径規格を構成して、少量の電球外径規格でLED電球の互換性と汎用性をさらに向上させ、前記熱伝導ホルダの実装フランジにおけるフランジ固定孔は直径D1上に均等分布し、直径D1は、電球外径Dからねじを固定するためのナットの直径を減算して、0.8〜4mmのマージン値をさらに減算して得られ、前記LED電球の灯具上におけるヒートシンク界面開孔の直径D2は、電球外径Dからねじを固定するためのナットの直径の2倍の値を減算し、前記0.8〜4mmのマージン値の2倍をさらに減算して得られ、前記LED電球の実装界面は、灯具上のLED電球と接触する面および接続するための孔を含むことを特徴とするフランジインナースナップリング式のLED電球。
【請求項５】
インナースナップリング（81）はライトエンジンモジュール（4）の外を囲み或いはインナースナップリング（81）と内カバー（6）との間に内リングカバー（62）を設け、インナースナップリング（81）の上部は熱伝導ホルダ（3）に接続され、下部は配向光学レンズ（7）に張り合わせられ、かつ三者でライトエンジンモジュール（4）を密封するための密封防水区間が形成されており、インナースナップリング（81）はさらにLED電球のヒートシンクの実装ベースとしても機能することを特徴とする請求項4に記載のフランジインナースナップリング式のLED電球。
【請求項６】
前記熱伝導ホルダ（3）とライトエンジンテンプレートは同一の非金属熱伝導材料を用いて一体に構成されることを特徴とする請求項4に記載のフランジインナースナップリング式のLED電球。
【請求項７】
前記ライトエンジンテンプレートはPCBプリント回路板によって回路が得られる金属材料の熱伝導基板であることを特徴とする請求項4に記載のフランジインナースナップリング式のLED電球。
【請求項８】
前記ライトエンジンテンプレートは非金属材料の熱伝導基板であり、その上に銀ペーストプリント回路技術によって回路が嵌合されていることを特徴とする請求項4に記載のフランジインナースナップリング式のLED電球。
【請求項９】
熱伝導ホルダ（3）、ライトエンジンモジュール（4）、インナースナップリング（81）および配向光学レンズ（7）が順に積層されており或いはインナースナップリング（81）と内カバー（6）との間に内リングカバー（62）が設けられ、ライトエンジンモジュール（4）のライトエンジンテンプレート、インナースナップリング（81）と配向光学レンズ（7）とでライトエンジンテンプレート上においてパッケージされる部品を密封するための密封防水空間を形成することを特徴とする請求項4に記載のフランジインナースナップリング式のLED電球。
【請求項１０】
前記インナースナップリング（81）と内カバー（6）は一体式構造の、インナースナップリング機能を有する内カバー（68）であることを特徴とする請求項4に記載のフランジインナースナップリング式のLED電球。
【請求項１１】
前記熱伝導ホルダ（3）にヒートシンク（103）を設け、ヒートシンク（103）と熱伝導ホルダ（３）との間に熱伝導パッド（2）が設けられ、前記ヒートシンク（103）は非金属ヒートシンクのアセンブリであり、非金属ヒートシンクのアセンブリは、篩い孔状の非金属ヒートシンクと、その下方にある架空式の熱伝導変換ホルダ（1）とを備え、固定ねじ接続のため、非金属ヒートシンクのヒートシンク固定ねじ孔（33）内に固定ねじを固定するためのゴムリングまたはねじ固定用固定剤が充填され、非金属ヒートシンクの外にヒートシンク外カバー（101）が設けられていることを特徴とする請求項4に記載のフランジインナースナップリング式のLED電球。
【請求項１２】
前記熱伝導ホルダ（3）にヒートシンク（103）を設け、ヒートシンク（103）と熱伝導ホルダ（３）との間に熱伝導パッド（2）が設けられ、前記ヒートシンク（103）は金属ヒートシンクであり、前記金属ヒートシンクは放熱フィン（34）を含み、放熱フィン（34）に超伝導液キャビティが設けられており、超伝導液キャビティに発泡金属（37）が充填されており、さらに超伝導液が注入されており、超伝導液キャビティの両端部に上閉塞部材（33）と下閉塞部材（35）が設けられており、上閉塞部材（33）または下閉塞部材（35）に真空ポンピングチューブ（32）が設けられ、前記ヒートシンク（103）に、ケーブルが通過するためのケーブル孔（36）とヒートシンク固定用ねじ孔（38）がさらに設けられていることを特徴とする請求項4に記載のフランジインナースナップリング式のLED電球。
【請求項１３】
前記ライトエンジンモジュール（4）のLEDチップ外に密閉用の透明シリカゲルのみが設けられ、且つ透明シリカゲルを備える全てのライトエンジンモジュール（4）の外に内カバー（6）が設けられ、内カバー（6）に蛍光粉塗布層が設けられていることを特徴とする請求項4に記載のフランジインナースナップリング式のLED電球。
【請求項１４】
前記ライトエンジンモジュール（4）のLEDチップがシリカゲルで密封されず、前記ライトエンジンモジュール（4）の外に透明な絶縁熱伝導液が注入された凹形状の内カバー（61）が設けられ、ライトエンジンモジュール（4）にLEDチップを透明な絶縁熱伝導液に浸し、透明な絶縁熱伝導液中に蛍光粉が設けられ、前記凹形状の内カバーは薄型内凹構造の弾性内カバーであることを特徴とする請求項4に記載のフランジインナースナップリング式のLED電球。
【請求項１５】
前記熱伝導ホルダ（3）に電気コネクタを設け、電気コネクタは電気コネクタ雄ヘッド（11）を備え、前記電気コネクタ雄ヘッド（11）に針（17）が付けられ、針（17）の終端にある針のはんだバンプ（19）とライトエンジンモジュール（4）とが溶接されており、前記電気コネクタ雄ヘッド（11）は汎用型LED電球上のコネクタ雄ヘッドの固定孔（22）を貫通して固定端（15）によって固定されており、電気コネクタ雄ヘッド（11）と孔付きの電気コネクタ雌ヘッド（10）とが合わせて接続されており、電気コネクタ雌ヘッド（10）がケーブルに接続されており、前記電気コネクタの針は四針構造であり、そのうちの二針は電源を投入し、別の二針は制御を導入することを特徴とする請求項4に記載のフランジインナースナップリング式のLED電球。
【請求項１６】
前記固定端（15）は溶接リングであるか或いは前記固定端（15）は固定ナットであり、電気コネクタ雄ヘッド（11）上に防水ゴムを付けるための嵌合溝（18）が設けられ、防水ゴムを付けるための嵌合溝（18）の内に防水ゴム（16）を設け、回転防止のため、電気コネクタ雄ヘッド（11）に滑り止め溝（26）を設け、前記熱伝導ホルダ（3）の貫通孔に相応の突起を設け、前記電気コネクタ雌ヘッド（10）に3孔フランジが設けられており、3孔フランジと電気コネクタ雌ヘッド固定用ねじ（25）によりヒートシンク（103）または灯具上の熱伝導変換板（27）に固定し、フランジとヒートシンク（103）または灯具上の熱伝導変換板（27）との間に固定調整ゴムパッド（24）をさらに設けることで防水面の水漏れを防ぎ或いは前記電気コネクタ雄ヘッド（11）に雄ねじを設け、防水ゴムリング（16）付きの電気コネクタ雌ヘッド（10）の固定ナット（28）の雌ねじと合わせることで電気コネクタ雄ヘッド（11）に固定し、前記電気コネクタ雌ヘッド（10）に嵌合溝を設け、嵌合溝内に防水ゴムリング（16）が設けられていることを特徴とする請求項15に記載のフランジインナースナップリング式のLED電球。
【請求項１７】
実装界面を含み、前記実装界面に前記LED電球が設けられていることを特徴とする請求項4に記載のLED電球を用いた灯具。
【請求項１８】
前記灯具はLEDトンネル照明であって、プレス型ヒートシンク構造を実装界面とし、金属プレス型ヒートシンク（103）を備え、プレス型ヒートシンク（103）にLED電球（102）が設けられ、プレス型ヒートシンク（103）の外に金属材料またはプラスチックで成形されている照明ハウジング（101）が設けられ、プレス型ヒートシンク（103）が実装ホルダ（106）に装着され、プレス型ヒートシンク（103）にLED電球（102）を取り付けるための実装界面が設けられていることを特徴とする請求項17に記載の灯具。
【請求項１９】
前記プレス型ヒートシンク（103）は基板を備え、基板の一方の側にフィンが装着され、基板の他方の側にLED電球（102）を取り付けるための実装界面が装着され、基板のフィンが装着された側に、LED電球（102）から延出するリード線を電源と制御回路に接続するリード線ホルダ（112）が設けられ、前記実装界面は、プレス型ヒートシンク（103）上のLED電球（102）と接触する面および接続するための孔を含み、
前記プレス型ヒートシンク（103）が水平または垂直方向で角度を同時に調整できるよう、プレス型ヒートシンク（103）はL字状の接続板（110）に装着され、L字状の接続板（110）は変向ホルダ（108）に固定され、変向ホルダ（108）は実装ホルダ（106）に固定されていることを特徴とする請求項18に記載の灯具。
【請求項２０】
前記灯具はLEDトンネル照明であって、多機能照明ハウジングを実装界面ホルダ構造とし、金属板材で成形されている多機能照明ハウジング（101）を備え、多機能照明ハウジング（101）はランプ柱固定具によってランプ柱（108）上に固定され、多機能照明ハウジング（101）は、LED電球（102）を取り付けるための一つ以上の実装界面を設け、実装界面にLED電球（102）が取り付けられ、
前記多機能照明ハウジング（101）に、複数のLED電球（102）を電源と制御回路に接続するための線束コネクタ（106）が設けられ、前記多機能照明ハウジング（101）のエッジに構造強度を高めるためのへりがさらに設けられ、前記実装界面は、多機能照明ハウジング（101）上のLED電球（102）と接触する面および接続するための孔を含み、
前記ランプ柱固定具は、ランプ柱固定ホルダ（112）と、ランプ柱固定ホルダボルト（111）と、レインフォース板（110）とを備え、ランプ柱固定ホルダ（112）とレインフォース板（110）は多機能照明ハウジング（101）の上下両側にそれぞれ設けられ、前記多機能照明ハウジングはランプ柱固定ホルダ（112）とレインフォース板（110）とによってランプ柱に固定されるか或いは多機能照明ハウジング（101）はランプ柱固定ホルダ（112）によって直接ランプ柱（108）に固定されていることを特徴とする請求項17に記載の灯具。
【請求項２１】
前記灯具は卵形LED道路照明であって、
実装界面パネル固定用ホルダ（112）を含み、実装界面パネル固定用ホルダ（112）の下部に実装界面パネル（103）が設けられ、実装界面パネル（103）に実装界面が設けられ、実装界面にLED電球（102）が設けられ、実装界面パネル固定用ホルダ（112）はランプ柱（108）に接続され、実装界面パネル固定用ホルダ（112）の上部に照明ハウジング（101）が設けられ、実装界面パネル（103）の外にランプカバー（113）が設けられ、照明ハウジング（101）とランプカバー（113）とで卵形がなされ、
前記実装界面パネル固定用ホルダ（112）に、複数のLED電球（102）を電源と制御回路に接続するための線束コネクタ（106）が設けられ、
前記実装界面パネル固定用ホルダ（112）にはスリーブ（116）が含まれ、スリーブ（116）はランプ柱（108）装着に用いられ、スリーブ（116）の両側に線束コネクタホルダ（107）が設けられ、線束コネクタホルダ（107）は線束コネクタ（106）の装着に用いられ、スリーブ（116）と線束コネクタホルダ（107）の外にリング板（114）が設けられ、リング板（114）は実装界面パネル（103）を実装界面パネル固定用ホルダ（112）に固定接続するために用いられ、
前記ランプカバー（113）に透光孔と漏水孔を設け、前記実装界面は、実装界面パネル（103）上のLED電球（102）と接触する面および接続するための孔が含まれていることを特徴とする請求項17に記載の灯具。
【請求項２２】
前記灯具はLED道路照明であって、
金属プレス実装界面ホルダ（103）を備え、プレス実装界面ホルダ（103）はランプ柱（108）上に固定され、プレス実装界面ホルダ（103）はランプ柱固定カバーを備え、ランプ柱固定カバーの両側にホルダパネルが設けられ、ホルダパネル上にLED電球（102）を取り付けるための実装界面が設けられ、実装界面にLED電球（102）が取り付けられ、
ランプ柱固定カバーに設けられ、複数のLED電球（102）を電源と制御回路に接続するための線束コネクタ（106）をさらに備え、
前記プレス実装界面ホルダ（103）において、両側のホルダパネルが上向きに夾角となるよう設置し、前記ランプ柱固定カバーの一端にランプ柱閉塞部材（101）が設けられ、ランプ柱固定カバーの他端はランプ柱固定用ねじ（109）によってランプ柱（108）に固定され、前記実装界面は、ホルダパネル上のLED電球（102）と接触する面および接続するための孔を含むことを特徴とする請求項17に記載の灯具。
【請求項２３】
前記灯具はLED道路照明であって、
実装界面ホルダの組み合わせ部材を備え、実装界面ホルダの組み合わせ部材にヒートシンク付きのLED電球（102）が取り付けられ、実装界面ホルダの組み合わせ部材の外に金属材料またはプラスチックで成形されている照明ハウジング（101）が設けられ、前記実装界面ホルダの組み合わせ部材は、互い繋がっている、パイプが部分的に切断されて形成されているパイプホルダ（108）、灯具固定用フランジ（106）、照明ハウジングおよび電球の固定ホルダ（110）を備え、照明ハウジングと電球の固定ホルダ（110）上にLED電球（102）を取り付けるための実装界面が設けられ、灯具固定用フランジ（106）と照明ハウジングおよび電球の固定ホルダ（110）はパイプホルダ（108）によって接続され、前記灯具固定用フランジ（106）は平板フランジまたは弧状フランジであり、前記照明ハウジング（101）は照明ハウジングおよび電球固定用ホルダ（110）によって実装界面ホルダの組み合わせ部材に接続されていることを特徴とする請求項17に記載の灯具。
【請求項２４】
前記実装界面は、照明ハウジングおよび電球固定用ホルダ（110）上のLED電球（102）と接触する面および接続するための孔を含み、前記照明ハウジングおよび電球固定用ホルダ（110）は金属で成形されており、照明ハウジングおよび電球固定用ホルダ（110）の中央にパイプホルダ（108）が接続されており、照明ハウジングおよび電球固定用ホルダ（110）はパイプホルダ（108）の設けられた箇所の周囲に透かし彫りをして、ケーブルの通過が便利になって、照明ハウジングに煙突効果により通風と放熱効果を確保し、照明ハウジングおよび電球固定用ホルダ（110）のエッジにさらに照明ハウジング（101）の装着に使用されるねじ孔が設けられ、
実装界面上の6個のフランジ固定用孔は直径D1上に均等分布し、直径D1は、LED電球（102）外径Dからねじを固定するためのナットの直径を減算して、0.8〜4mmのマージン値をさらに減算して得たものであって、
照明ハウジングを実装界面ホルダ構造とする、金属またはプラスチックで成形されている照明ハウジング（101）を備え、照明ハウジング（101）はプレス型ヒートシンク（103）を装着するための実装界面ホルダパネルと、LED道路照明全体を固定・実装するためのアンカーねじ孔とを備え、実装界面ホルダパネル上にプレス型ヒートシンク（103）実装用の一つ以上の開孔が設けられ、プレス型ヒートシンク（103）上に実装界面が設けられ、実装界面にLED電球（102）が取り付けられ、
前記プレス型ヒートシンク（103）は基板を備え、基板の一方の側にフィンが設けられ、基板の他方の側にLED電球（102）を取り付けるための実装界面が設けられ、前記実装界面はプレス型ヒートシンク（103）上のLED電球（102）と接触する面および接続するための孔を含むことを特徴とする請求項23に記載の灯具。
【請求項２５】
前記灯具はLEDネジライトであって、
LEDネジライトのヒートシンク（103）またはヒートシンク（103）の上部に接続される熱伝導変換板（27）に実装界面を設けることでLED電球（102）を固定実装し、前記LEDネジライトのランプカバー（101）は粘着・ねじ接続または係止によりヒートシンク（103）または熱伝導変換板（27）に接続され、前記実装界面は、ヒートシンク（103）または熱伝導変換板（27）のLED電球（102）と接触する面および接続するための孔を含むことを特徴とする請求項17に記載のLED電球で構成された灯具。
【請求項２６】
前記LEDネジライトは、ネジライトベース（108）と、中間接続部材（110）と、ヒートシンク（103）と、ランプカバー（101）とを備え、ネジライトベース（108）の内に設けられる駆動電源（106）をさらに備え、LED電球（102）とランプカバー（101）の接続箇所に電気コネクタが設けられ、ネジライトベース（108）上の中間接続部材（110）はそのねじ山またはライトベースを固定するためのねじ（111）、または直接粘着することによってヒートシンク（103）に接続され、ヒートシンク（103）上に熱伝導変換板（27）がさらに設けられ、
前記電気コネクタは、電気コネクタ雌ヘッド（10）と、固定用ねじ（25）と、調整ゴムパッド（24）を備え、前記電気コネクタ雌ヘッド（10）はLED電球上のコネクタ雄ヘッド（11）と合わせて接続され、コネクタ雌ヘッド（10）には3孔フランジが設けられ、さらに3孔フランジとコネクタ雌ヘッド固定用ねじ（25）とでヒートシンク（103）または熱伝導変換板（27）に固定され、かつフランジとヒートシンク（103）または熱伝導変換板（127）との間にさらに固定用調整ゴムパッド（24）が設けられ、防水面の水漏れを防ぎ、コネクタ雌ヘッドから延出するリード線がライトベース（108）に溶接されており、
前記ヒートシンク（103）は柱状のヒートシンクまたは対流式ヒートシンクであり、前記ヒートシンク（103）が柱状のヒートシンクである場合、円柱の最大外径の箇所から中心へ延びるように、ヒートシンク基板の厚さを設け、放射状に円柱の中心へとフィンを形成し、前記柱状のヒートシンクは閉状態の円弧に沿って基板を厚さとして2〜3層の分断溝をあけ、ヒートシンクは熱を受けた後、外からの空気が分断溝を介してヒートシンクの奥へ流入することで対流による冷却効果を果たし、前記ヒートシンク（103）が対流式ヒートシンクである場合、中心における円柱面から外へ延びるように、ヒートシンク基板の厚さを設け、放射状に基板から外側へとフィンを形成し、フィンの表面は上向きの弧状に形成され対流面積が徐々に大きくなり、フィンの表面はヒートシンクの外カバーで覆われ、外カバーとフィンとの間にランナ空気を流通させるための複数のランナーが形成されており、ヒートシンクが熱を受けると、空気がヒートシンクの底部のランナーから入り上部のランナーから出て、煙突のようになり、これにより空気の対流が発生し、放熱効果を果たすことを特徴とする請求項25に記載の灯具。